(57)【要約】【課題】ウェットティシュ容器２を室内の有効位置、例えばトイレットペーパー保持具の上方等に簡単に設置することができ、しかも、容器２を取付ける前の運搬，保管時には嵩張らず、また、廉価に製造できるウェットティシュ容器の取付ホルダを提案する。【解決手段】ウェットティシュ容器２を保持する基板11を備え、該基板に画成した差込板部14を基板11外方への折り返し状態で基板11に固定するとともに、差込板部14を室内固定部Ａに差し込んでの固定が可能に構成した。【選択図】図２
2005066098.tif 000002
【特許請求の範囲】
【請求項１】
ウェットティッシュ容器２を保持する基板11を備え、該基板に画成した差込板部14を上記基板11外方への折り返し状態で上記基板11に固定するとともに、上記差込板部14を室内固定部Ａに差し込んでの固定が可能に構成してなることを特徴とするウェットティッシュ容器の取付ホルダ。
【請求項２】
上記固定部Ａが、取付板24両側より突設した一対の側板25間に回転可能にロールペーパー27を保持し、且つ、その上方に揺動可能に蓋板26を支持したロールペーパー保持具19に於ける上記取付板24と上記蓋板26との間の差込口20であり、上記差込板部14を上記差込口20に差し込んで上記ウェットティッシュ容器２をロールペーパー保持具19上に固定可能に構成してなる請求項１記載のウェットティッシュ容器の取付ホルダ。
【請求項３】
上記ロールペーパー保持具19で保持するロールペーパー27がトイレットペーパーである請求項２記載のウェットティッシュ容器の取付ホルダ。
【請求項４】
上記ロールペーパー保持具19で保持するロールペーパー27がペーパータオルである請求項２記載のウェットティッシュ容器の取付ホルダ。
【請求項５】
上記基板11の上記ウェットティッシュ容器２の保持手段が、上記基板11の対向縁に断面鉤型の係止突条12を突設するとともに、上記ウェットティッシュ容器２の上記取出口３対向面側周縁部にフランジ状嵌合部４を突設し、該フランジ状嵌合部４を上記係止突条12に嵌合させてなる請求項１記載のウェットティッシュ容器の取付ホルダ。
【請求項６】
上記差込板部14の折り返し状態での基板への固定手段が、折り返し状態に於ける上記差込板部14と基板11との対向面のいずれか一方に設けた嵌合孔17と、他方に設けた嵌合突起18との嵌合固定である請求項１記載のウェットティッシュ容器の取付ホルダ。
【請求項７】
上記差込板部14に抜け出し防止用の弾性突片28を設けてなる請求項１記載のウェットティッシュ容器の取付ホルダ。
【発明の詳細な説明】
【技術分野】
【０００１】
本発明はウェットティッシュ容器の取付ホルダに関し、詳しくは、ウェットティッシュ容器を室内の有効位置、例えばトイレットペーパー保持具或いはペーパータオル保持具等上方に簡単に設置することができ、しかも安価に製造できるウェットティッシュ容器の取付ホルダに関する。
【背景技術】
【０００２】
ウェットティッシュ容器としては、内部に多数のウェットティッシュ葉を折り畳み収納し，又は破断部で連結した長尺のウェットティッシュを収納し、取出口より一葉ずつ或いは破断部で破断して一片ずつそれぞれ取り出す如く構成したものが使用されている。
【０００３】
この種容器は室内の種々の場所に於いて使用され、通常は取出口を上方にした状態で載置して使用される。また、水溶性材質のウェットティッシュの開発に伴いトイレに設置するものも提案されている。（例えば、特許文献１参照）
【０００４】
上記したトイレ内への設置方法の一例として、ウェットティッシュ収納容器を取付ホルダに装着し、そのホルダをトイレットペーパー収納体の差込口に差し込んむことによりウェットティッシュをトイレットペーパー収納体の上方に設置する如く構成している。上記取付ホルダは、ウェットティッシュ収納容器の背面に当接する背板にウェットティッシュ収納容器背面の周縁を収納するＬ字状部材を設けて容器をスライド嵌合させ、また、背板から一体に延設した取付板を上記差込口に差し込む如く構成している。
【特許文献１】特開２００１−１４５５８３号公報
【発明の開示】
【発明が解決しようとする課題】
【０００５】
本発明は上記した従来のこの種の取付ホルダの利点を備えしかも更に改良加えたもので、より低コストでの製造が可能であり、ウェットティッシュ容器を取り付ける前の保管、運搬に際して嵩張らず、また、台所でのペーパータオルとの併用による調理時の利便さの向上を図れ、しかも、安定した装着状態を維持できる優れたウェットティッシュ容器の取付ホルダを提案するものである。
【課題を解決するための手段】
【０００６】
本請求項１発明の取付ホルダは、上記課題を解決するため、ウェットティッシュ容器２を保持する基板11を備え、該基板に画成した差込板部14を上記基板11外方への折り返し状態で上記基板11に固定するとともに、上記差込板部14を室内固定部Ａに差し込んでの固定が可能に構成してなることを特徴とするウェットティッシュ容器の取付ホルダとして構成した。
【０００７】
また、請求項２発明の取付ホルダは、上記固定部Ａが、取付板24両側より突設した一対の側板25間に回転可能にロールペーパー27を保持し、且つ、その上方に揺動可能に蓋板26を支持したロールペーパー保持具19に於ける上記取付板24と上記蓋板26との間の差込口20であり、上記差込板部14を上記差込口20に差し込んで上記ウェットティッシュ容器２をロールペーパー保持具19上に固定可能に構成してなる請求項１記載のウェットティッシュ容器の取付ホルダとして構成した。
【０００８】
また、請求項３発明の取付ホルダは、上記ロールペーパー保持具19で保持するロールペーパー27がトイレットペーパーである請求項２記載のウェットティッシュ容器の取付ホルダとして構成した。
【０００９】
また、請求項４発明の取付ホルダは、上記ロールペーパー保持具19で保持するロールペーパー27がペーパータオルである請求項２記載のウェットティッシュ容器の取付ホルダとして構成した。
【００１０】
また、請求項５発明の取付ホルダは、上記基板11の上記ウェットティッシュ容器２の保持手段が、上記基板11の対向縁に断面鉤型の係止突条12を突設するとともに、上記ウェットティッシュ容器２の上記取出口３対向面側周縁部にフランジ状嵌合部４を突設し、該フランジ状嵌合部４を上記係止突条12に嵌合させてなる請求項１記載のウェットティッシュ容器の取付ホルダとして構成した。
【００１１】
また、請求項６発明の取付ホルダは、上記差込板部14の折り返し状態での基板への固定手段が、折り返し状態に於ける上記差込板部14と基板11との対向面のいずれか一方に設けた嵌合孔17と、他方に設けた嵌合突起18との嵌合固定である請求項１記載のウェットティッシュ容器の取付ホルダとして構成した。
【００１２】
また、請求項７発明の取付ホルダは、上記差込板部14に抜け出し防止用の弾性突片28を設けてなる請求項１記載のウェットティッシュ容器の取付ホルダとして構成した。
【発明の効果】
【００１３】
本発明のウェットティッシュ容器の取付ホルダは、室内固定部Ａへ簡単に装着することが出来、ウェットティッシュ容器２の交換も簡単であり、また、基板11に差込板部14を画成しているため成形材料も大幅に減少させることが出来て低コストでの製造が可能である。また、ウェットティッシュ容器２を装着する前の保管，運搬に当たりコンパクトな状態で行えるため、嵩張らず、効率の良い保管，運搬を行えるものである。また、上記固定部Ａがトイレットペーパー保持具19の差込口20であり、上記ウェットティッシュ容器２をトイレットペーパー保持具19上方に固定可能に構成してなる場合には、水溶性のウェットティッシュを採用すればトイレでの使用後にウェットティッシュをそのままトイレに流すことができる。更に、上記固定部Ａがペーパータオル保持具の差込口であり、上記ウェットティッシュ容器２をペーパータオル保持具上に固定可能に構成した場合には、台所での調理作業のより円滑化を図れる。
【発明を実施するための最良の形態】
【００１４】
本発明のウェットティッシュ容器の取付ホルダ１は、ウェットティッシュ容器２を保持して室内固定部Ａに固定するものである。
【００１５】
ウェットティッシュ容器２は、内部に例えば多数のウェットティッシュ葉を公知の折り込み手段により収納した物或いは、多数の破断部を所定間隔に設けた長尺のウェットティッシュを収納し、取出口３より一葉づつ或いは破断部において切断して一片づつを取り出す如く構成したものである。また、取付ホルダ１に着脱可能に取り付けるためのフランジ状嵌合部４を備えたものが使用できる。
【００１６】
図示例では、６面に取出口３を備えた函型をなし、取出口３の表面を剥離後再び粘着が可能なシート状蓋体５により被覆している。更に具体的には、前壁６周縁より後方へ四角筒状の周壁部７を延設するとともに、周壁部７の後端縁より外方へフランジ８を突設し、前壁６中央部に上記取出口３を穿設した本体９と、本体９後端開口を閉塞して固定した後壁10と、上記シート状蓋体５とで構成している。後壁10の周縁部と上記フランジ８とで上記フランジ状嵌合部４を構成している。尚、ウェットティッシュ容器２の具体的構成は上記実施例のものに限らず種々の形態を採用でき、例えば、上記シート状蓋体に代えて揺動可能に取付た開閉蓋を備えたものであっても良い。
【００１７】
取付ホルダ１は合成樹脂等により形成されたもので、上記ウェットティッシュ容器２をその取出口３を外側に向けて保持する基板11を備えている。また、基板11はウェットティッシュ容器２を着脱可能に保持する保持手段を備えている。この保持手段として、例えば、基板11の対向縁に断面鉤型の係止突条12を突設し、各係止突条12にウェットティッシュ容器２の上記フランジ状嵌合部４を嵌合可能に構成する。図示例では、基板11の両側縁に断面鉤型の係止突条12をそれぞれ突設し、また、下縁には各係止突条12と同突出幅の係止壁13を突設している。そして、上方より両側のフランジ状嵌合部４を各断面鉤型の係止突条12に係合させてウェットティッシュ容器２を着脱可能に装着している。尚、保持手段はこれに限られず、基板11に取出口３を外側にして着脱自在に嵌合できれば種々の保持手段を採用できる。
【００１８】
また、基板11には差込板部14を基板11外方への折り返しが可能に画成しており、画成した差込板部14を基板11外方への折り返し状態で基板11に固定するとともに、上記差込板部14を上記室内固定部Ａに差し込んで固定が可能に構成した。
【００１９】
上記差込板部14は基板11の縁部より折り返し可能に構成すると充分な突出幅を得られて好ましく、図示例では、基板11下縁部に下縁に沿って屈曲可能なヒンジ部15を形成するとともに、各ヒンジ部15両端を結ぶ切溝状の分離線16を設けて差込板部14を画成している。また、この差込板部14は略１８０°の折り返しにより基板11下方へ垂設する如く構成している。折り返した差込板部14の基板11への固定手段としては種々の形態を採用できるが、図示例では、折り返し状態の差込板部14と基板11との対向面のいずれか一方に設けた嵌合孔17と、他方に設けた嵌合突起18との嵌合による固定手段を採用している。これにより、折り返し状態の差込板部14は確実に所定の回動角度を維持することができ、固定部Ａへ差し込み固定しても安定した係止状態を維持できるものである。
【００２０】
上記室内固定部Ａは、種々の形態を採用できるが、特にトイレットペーパーやペーパータオル等に使用されているロールペーパーの保持具19の差込口20を好ましく採用できる。具体的には、図２に例示する如く、ロールペーパー保持具19は、壁面等の取付面23に固定した取付板24の両側より突設した一対の側板25間に回転可能にロールペーパー27を保持し、且つ、その上方に揺動可能に蓋板26を支持して構成しており、このロールペーパー保持具19に於ける上記取付板24と上記蓋板26との間の差込口20を室内固定部Ａとして採用している。そして、上記差込板部14を差込口20に差し込んでウェットティッシュ容器２をロールペーパー保持具19上方に固定することができる如く構成している。上記ロールペーパー27としては、上記した如くトイレットペーパーやペーパータオルその他のものが採用でき、その保持具はトイレやキッチン等で使用される。
【００２１】
この際、上記差込板部14に抜け出し防止用の弾性突片28を設けても良い。この抜け出し防止用の弾性突片28は、折り返し後の差込板部14前面、即ち、折り返し後のウェットティッシュ容器２を保持する側面に突設したもので、差込口20内から差込板部14が不用意に抜け出すのを防止する目的で設ける。その具体的構造は、差込口20から挿入が可能でかつ、差込板部14を上方へ引き上げた際に容易な抜け出しを防止できるものであれば種々の形態を採用でき、図示例で、断面Ｌ字状に突設した弾性突片28を設けている。この弾性突片28は差込口20からの挿入の際には例えば弾性変形して容易に挿入が可能であり、抜け出し方向に力が働くと蓋板26下面に当接して容易な抜け出しを防止する。
【００２２】
上記の如く構成した取付ホルダ１を使用する際には、まず、図１の状態から差込板部14をヒンジ部15を中心にして折り返し、略１８０°折り返したところで上記嵌合突起18を上記各嵌合孔17に嵌着させて折り返し状態を維持させる。次いで、上方よりウェットティッシュ容器２を、その両側のフランジ状嵌合部４を両側の断面鉤型の係止突条12の凹部に嵌合させて嵌着する。次いで、差込板部14をロールペーパー保持具19の上記差込口20より差し込み、途中弾性突片28を弾性変形させて強制的に挿入し、取り付けることができる。
【００２３】
ウェットティッシュを使用する場合にはシート状蓋体５を開き取出口３より取り出し使用することができる。ウェットティッシュがなくなった場合にはウェットティッシュ容器２を取り外し、新たなウェットティッシュ容器２を同様に装着すれば良い。
【図面の簡単な説明】
【００２４】
【図１】本発明の取付ホルダ及びウェットティッシュ容器を示す斜視図である。（実施例１）
【図２】同実施例の容器付きホルダをロールペーパー保持具に装着した状態の縦断面図である。（実施例１）
【符号の説明】
【００２５】
２…ウェットティッシュ容器，３…取出口，４…フランジ状嵌合部，11…基板，
12…係止突条，14…差込板部，17…嵌合孔，18…嵌合突起，
19…ロールペーパー保持具，差込口20，28…弾性突片，Ａ…室内固定部
【図１】
2005066098.tif 000003
【図２】
2005066098.tif 000004